(57)【要約】【課題】  ボデーへの取り付けに際してリバースバルブとレギュレーターバルブの互換性があり、例えば同一のボデーをエアドライバーにもエアサンダーにも使用することができるエアツール用バルブ装置を提供する。【解決手段】  エアツールのボデー１０において、エアモーター３０が内蔵されるシリンダー部１５に対して回動可能に配設されるバルブ６１と、該バルブ６１に固定され前記シリンダー部１５に形成されたスリット形状の開口部１６にスライド可能に取り付けられるレバー６２からなるエアツール用バルブ装置６０であって、前記バルブ６１は、空気入口部６３が形成された第一の円板部６１ａと、前記入口部６３に連通する空気通路６４が形成された幅狭のレバー固定部６１ｂと、前記空気通路６４に連通する空気出口部６５が形成された第二の円板部６１ｃからなり、前記レバー６２は、前記開口部１６をスライドするツマミ部６２ａと、前記レバー固定部６１ｂを挟んで固定される略Ｕ字形状の爪部６２ｂからなる。【選択図】      図１
0003101722.tif 000002
【実用新案登録請求の範囲】
【請求項１】
エアツールのボデーにおいて、エアモーターが内蔵されるシリンダー部に対して回動可能に配設されるバルブと、該バルブに固定され前記シリンダー部に形成されたスリット形状の開口部にスライド可能に取り付けられるレバーからなるエアツール用バルブ装置であって、
前記バルブは、空気入口部が形成された第一の円板部と、前記入口部に連通する空気通路が形成された幅狭のレバー固定部と、前記空気通路に連通する空気出口部が形成された第二の円板部からなり、
前記レバーは、前記開口部をスライドするツマミ部と、前記レバー固定部を挟んで固定される略Ｕ字形状の爪部からなる、
ことを特徴とするエアツール用バルブ装置。
【請求項２】
前記バルブがリバースバルブである請求項１記載のエアツール用バルブ装置。
【請求項３】
前記バルブがレギュレーターバルブである請求項１記載のエアツール用バルブ装置。
【請求項４】
前記レバー固定部が断面略台形形状である請求項１記載のエアツール用バルブ装置。
【請求項５】
前記バルブは、前記第一の円板部と前記第二の円板部にそれぞれＯリングを備え、前記Ｏリングを介して前記シリンダー部に対して回動可能に配設される請求項１記載のエアツール用バルブ装置。
【考案の詳細な説明】
【技術分野】
【０００１】
本発明は、エアツール用バルブ装置に関し、さらに詳しくはエアドライバー、エアドリル、及びエアサンダー等に適したバルブ装置に関する。
【背景技術】
【０００２】
従来のエアツール用バルブ装置としては、例えばChicago Pneumatic社のエアドリル「3/8'' Reversible Drill（型番CP-789R-26）」に見られるように、エアツールのボデーにおいて、エアモーターが内蔵されるシリンダー部に対して回動可能に配設されるバルブと該バルブにネジ止めされ前記シリンダー部に形成されたスリット形状の開口部をスライド可能に取り付けられるレバーからなるものが知られている。
【０００３】
このようなレバーがバルブにネジ止めされるタイプのエアツール用バルブ装置は、バルブにネジ穴が形成される必要があるため、バルブの幅を薄くすることが難しかった。
また、エアツールには、エアドリルやエアドライバーのようにエアモーターが正逆回転可能となる（Ｌ⇔Ｒ）ようにリバースバルブが必要なものと、エアサンダーのようにエアモーターを低出力から高出力への切り替えが可能となる（Ｌ→Ｈ）ようにレギュレーターバルブが必要なものがある。
【０００４】
しかし、前記従来のエアツール用バルブ装置では、その構造上、リバースバルブを備えたエアドライバーのボデーとレギュレーターバルブを備えたエアサンダーのボデーとを共用することができなかった。すなわち、エアドライバー用のボデーをエアサンダー用のボデーに転用することができなかった。
【非特許文献１】http://www.jackxchange.com/products/CP-789R-26.cfm
【考案の開示】
【考案が解決しようとする課題】
【０００５】
本考案は、このような従来のエアツール用バルブ装置の問題点を鑑みてなされたものであり、ボデーへの取り付けに際してリバースバルブとレギュレーターバルブの互換性があり、例えば同一のボデーをエアドライバーにもエアサンダーにも使用することができるエアツール用バルブ装置を提供することを課題とする。
【課題を解決するための手段】
【０００６】
そのため本考案のエアツール用バルブ装置は、エアツールのボデーにおいて、エアモーターが内蔵されるシリンダー部に対して回動可能に配設されるバルブと、該バルブに固定され前記シリンダー部に形成されたスリット形状の開口部にスライド可能に取り付けられるレバーからなるエアツール用バルブ装置であって、
前記バルブは、空気入口部が形成された第一の円板部と、前記入口部に連通する空気通路が形成された幅狭のレバー固定部と、前記空気通路に連通する空気出口部が形成された第二の円板部からなり、
前記レバーは、前記開口部をスライドするツマミ部と、前記レバー固定部を挟んで固定される略Ｕ字形状の爪部からなる、
ことを特徴とする。
そして、前記バルブは、リバースバルブであってよいし、レギュレーターバルブであってもよい。
そして、前記レバー固定部は、断面略台形形状であることが好ましい。
さらに、前記バルブは、前記第一の円板部と前記第二の円板部にそれぞれＯリングを備え、前記Ｏリングを介して前記シリンダー部に対して回動可能に配設されることが好ましい。
【考案の効果】
【０００７】
本考案のエアツール用バルブ装置は、エアツールのボデーにおいて、エアモーターが内蔵されるシリンダー部に対して回動可能に配設されるバルブと、該バルブに固定され前記シリンダー部に形成されたスリット形状の開口部にスライド可能に取り付けられるレバーからなるエアツール用バルブ装置であって、
前記バルブは、空気入口部が形成された第一の円板部と、前記入口部に連通する空気通路が形成された幅狭のレバー固定部と、前記空気通路に連通する空気出口部が形成された第二の円板部からなり、
前記レバーは、前記開口部をスライドするツマミ部と、前記レバー固定部を挟んで固定される略Ｕ字形状の爪部からなる、
ことを特徴とするので、リバース型のエアツールのボデーとレギュレーター型のエアツールのボデーを共用することができるため、ボデーの金型製作コストを削減することができる。
【考案を実施するための最良の形態】
【０００８】
本考案の実施の形態を図面を参照して詳細に説明する。
図１は本発考案の実施の形態におけるのエアツール用バルブ装置を含むエアツールの縦断面図、図２は図１の斜視分解図である。
【０００９】
図１において、１０はエアツールのボデーであり、ボデー１０は、内部に給気通路１１及び排気通路１２が形成されたグリップ部１３と、前記グリップ部１３の上部に形成されトリガー２０が取り付けられるトリガー部１４と、前記トリガー部１４の上部に形成され内部にエアモーター３０が配設されるシリンダー部１５とからなる。
【００１０】
前記給気通路１１の下端には、ブッシング４０が挿着される。また、前記給気通路１１の中間部には段差１１ａが形成され、そこにバルブシート１１ｂを挟んでトリガーバルブ５０が配設される。
【００１１】
前記ブッシング４０の上部に形成された受け部４１と前記バルブ５０の間に、バルブスプリング４２が配設され、このバルブスプリング４２により前記トリガーバルブ５０が前記バルブシート１１ｂに押し付けられる。
【００１２】
前記トリガーバルブ５０には、ピン５１が固着され、このピン５０は前記トリガー２０の連結棒２１に連結される。したがって、前記トリガー２０が押されると、前記連結棒２１が図１において右方向に移動させられ、これに伴って前記ピン５１が傾動させられて前記トリガーバルブ５０が開かれる。
【００１３】
前記トリガー２０が押されない場合は、前記バルブスプリング４２が前記トリガーバルブ５０を前記バルブシート１１ｂに押しつけるので前記トリガーバルブ５０は閉じられ、前記ピン５１、前記連結棒２１及び前記トリガー２０は、元の位置に戻れされる。
【００１４】
前記給気通路１１は、前記シリンダー部１５の内部後方に配設されるバルブ装置６０に連通される。このバルブ装置６０は、前記シリンダー部１５に対して回動可能に配設されるバルブ６１と、該バルブ６１に固定され前記シリンダー部１５に形成されたスリット形状の開口部１６にスライド可能に取り付けられるレバー６２からなる。なお、図１の実施の形態のバルブ６１は、前記エアモーター３０の回転を逆回転可能とするリバースバルブである。
【００１５】
前記バルブ６１は、空気入口部６３が形成された第一の円板部６１ａと、前記入口部に連通する空気通路６４が形成された幅狭のレバー固定部６１ｂと、前記空気通路６４に連通する空気出口部６５が形成された第二の円板部６１ｃからなる。
【００１６】
前記レバー６２は、前記開口部１６をスライドするツマミ部６２ａと、断面略台形形状である前記レバー固定部を挟んで固定される略Ｕ字形状の爪部６２ｂからなる。前記バルブ６１は、前記第一の円板部６１ａと前記第二の円板部６１ｃにそれぞれＯリング６６を備え、前記Ｏリング６６を介して前記シリンダー部１５に対して回動可能に配設される。
【００１７】
前記バルブ６１は、前記エアモーター３０のバックプレート７０に当接されるとともに、摺動しながら回動させられる。そして、前記バックプレート７０に形成された正回転用空気穴７１が前記空気出口６５につながると前記エアモーター３０は正回転し、逆回転用空気穴７２が前記空気出口６５につながると逆回転する。
【００１８】
前記エアモーター３０のローター軸３１は、前記バックプレート７０に固定されたベアリング７３とフロントプレート８０に固定されたベアリング８１に回転自在に軸支される。
【００１９】
エアツール用バルブ装置は上記構成であるので、レバー６２をスライドさせてバルブ６１を右に回動させることにより、バルブ６１がリバースバルブである場合は、エアモーター３０が正回転し、バルブ６１がレギュレーターバルブである場合は、エアモーター３０が低出力（Ｌ）から高出力（Ｈ）へ切り替わる。逆に、レバー６２をスライドさせてバルブ６１を左に回動させることにより、バルブ６１がリバースバルブである場合は、エアモーター３０は逆回転し、バルブ６１がレギュレーターバルブである場合は、エアモーター３０が高出力（Ｈ）から低出力（Ｌ）へ切り替わる。
【図面の簡単な説明】
【００２０】
【図１】図１は本考案の実施の形態におけるのエアツール用バルブ装置を含むエアツールの縦断面図である。
【図２】図１の斜視分解図である。
【符号の説明】
【００２１】
10  ボディ                          15  シリンダー部
16  開口部                          30  エアモーター
61  バルブ                          61a  第一の円板部
61b  レバー固定部                   61c  第二の円板部
62  レバー                          62a  ツマミ部
62b  爪部                           63  空気入口部
64  空気通路                        65  空気出口部
【図１】
0003101722.tif 000003
【図２】
0003101722.tif 000004